(57)【要約】【課題】駐車スペースに入出庫される車両の幅の変更に柔軟に対応しつつ車両を所望の駐車位置に駐車させる。【解決手段】車庫には、車両Ｖを駐車する駐車スペースＰＡの床部（車庫床面１５）に駐車ガイド部材２０が配置されている。駐車ガイド部材２０は、車庫床面１５から起立して設けられる起立部２１Ａを有する堰板２１と、駐車スペースＰＡにおいて起立部２１Ａにより区切られた各領域のうち車両Ｖの進入を許容しない第２エリアＳ２に配設され、加重に伴い音を発生する音発生材２２とを有する。音発生材２２は、多数の小片２２Ａを上下方向に積み重ねて構成される小片集合体であり、その小片２２Ａ同士の擦れ合いにより音を発生する。【選択図】図２
2010168742.tif 000002
【特許請求の範囲】
【請求項１】
車両を駐車する駐車スペースの床部に駐車ガイド部材を備え、
前記駐車ガイド部材は、前記床部から起立して設けられる起立部を有する堰部材と、前記駐車スペースにおいて前記起立部により区切られた各領域のうち前記車両の進入を許容しない側に設けられ、加重に伴い音を発生する音発生材とを有することを特徴とする駐車設備。
【請求項２】
前記堰部材は、前記起立部が前記駐車スペースの床部において前記車両のタイヤの進入を許容する第１エリアと同進入を許容しない第２エリアとの境界部に沿って延びるようにして設けられ、
前記音発生材は、前記第１エリア及び前記第２エリアのうち前記第２エリア側に配設されている請求項１に記載の駐車設備。
【請求項３】
前記堰部材は、前記第２エリアにおける前記床部に設置され前記起立部に連結されてなる底板部を有し、
前記音発生材は、少なくとも一部が前記底板部上に載置された状態で配設されている請求項２に記載の駐車設備。
【請求項４】
前記駐車ガイド部材は、前記起立部を、互いに離間する位置に複数備え、
前記第２エリアにおいて前記複数の起立部により区切られた各領域に、音発生の態様が各々異なる音発生材が配設されている請求項２又は３に記載の駐車設備。
【請求項５】
前記第２エリアにおいて前記第１エリアから離れる方向に音発生の態様が変更されるよう前記音発生材がそれぞれ配設されている請求項４に記載の駐車設備。
【請求項６】
前記堰部材は、前記車両の両サイド、又は前記車両における少なくともいずれかのタイヤの両サイドに設けられ、該両サイドで前記音発生材の音発生の態様が異なる請求項１乃至５のいずれか一項に記載の駐車設備。
【請求項７】
前記音発生材は、多数の小片を上下方向に積み重ねて構成される小片集合体であり、その小片同士の擦れ合いにより音を発生する請求項１乃至６のいずれか一項に記載の駐車設備。
【請求項８】
前記起立部は、前記タイヤの進入を許容する側の表層が柔軟性材料で形成されている請求項１乃至７のいずれか一項に記載の駐車設備。
【発明の詳細な説明】
【技術分野】
【０００１】
本発明は、駐車設備に関し、詳しくは駐車スペースにおける駐車位置を案内するための駐車ガイド機能を備える駐車設備に関する。
【背景技術】
【０００２】
従来、駐車スペースへの駐車を容易にかつ正確に行うために、車両を所望の駐車位置へ誘導する駐車ガイド機能を備える駐車設備が種々提案されている（例えば特許文献１参照）。特許文献１には、駐車スペースの床面において左右の車両タイヤの外側面に、幅が調整可能なタイヤガイドを同床面に固着させて用いる駐車ガイドが開示されている。この駐車ガイドにおいては、車幅に応じてタイヤガイド間の幅を調整した後、タイヤガイドを駐車スペースの床面にボルト等で固着させる。
【先行技術文献】
【特許文献】
【０００３】
【特許文献１】特開２００５−９００７０号公報
【発明の概要】
【発明が解決しようとする課題】
【０００４】
しかしながら、上記特許文献１では、タイヤガイド間の幅を調整可能に構成されているものの、タイヤガイドを駐車スペースの床面にボルト等で固着するため、そのスペースに駐車する車両の幅に応じてタイヤガイド間の幅を変更する際に煩雑な作業が必要になることが考えられる。そのため、例えば車両の買い替えや代車の使用時などに、現在のタイヤガイド間の幅と異なる車幅の車両が駐車スペースに駐車された場合に、その車幅の変更に柔軟に対応できないことが考えられる。また、車両のタイヤがタイヤガイドを乗り超えて左右いずれかの方向に偏った場合に、その事態を運転者に知らしめることができず、車両が例えば壁や柱等に接触してしまうおそれがある。
【０００５】
本発明は、上記事象に鑑みなされたものであり、駐車スペースに入出庫される車両の幅の変更に柔軟に対応しつつ車両を所望の駐車位置に駐車させることができる駐車設備を提供することを主たる目的とする。
【課題を解決するための手段】
【０００６】
本発明は、上記課題を解決するために、以下の手段を採用した。
【０００７】
すなわち、本発明は、車両を駐車する駐車スペースの床部に駐車ガイド部材を備え、前記駐車ガイド部材は、前記床部から起立して設けられる起立部を有する堰部材と、前記駐車スペースにおいて前記起立部により区切られた各領域のうち前記車両の進入を許容しない側に設けられ、加重に伴い音を発生する音発生材とを有することを特徴とする。
【０００８】
この発明によれば、駐車ガイド部材の起立部により区切られた駐車スペースの各領域のうち、車両の進入を許容しない領域（非許容エリア）に音発生材が配設されている。そのため、車両が駐車スペースの非許容エリアに進入した場合に、車両のタイヤの接触に伴い起立部が移動したり音発生材がタイヤに踏まれたりすることで音発生材に車両の重みがかかり、その重みにより音発生材から音が発生される。したがって、この音発生材からの音により、入出庫中の車両が所望の駐車位置からずれていることを運転者に知らしめることができる。
【０００９】
また、音発生材からの音は、車両が音発生材を踏みつけることに伴い発せられるため、音の発生源を簡易な構成にすることができる。さらに、駐車スペースに堰部材と音発生材とを配設するといった簡単な構成により駐車位置を誘導する機能が発揮されるため、駐車スペースに入出庫される車両の幅が変更された場合に、その車幅に合わせて堰部材及び音発生材の位置を容易にかつ自在に変更することができる。したがって、本発明によれば、駐車スペースに入出庫される車両の幅が変更された場合にその変更に柔軟に対応することができ、車幅に適した構成で駐車位置の誘導を行うことができる。その結果、車両を所望の駐車位置に駐車させることができる。
【００１０】
本発明において、前記堰部材が、前記起立部が前記駐車スペースの床部において前記車両のタイヤの進入を許容する第１エリアと同進入を許容しない第２エリアとの境界部に沿って延びるようにして設けられ、前記音発生材が、前記第１エリア及び前記第２エリアのうち前記第２エリア側に配設されているとよい。この構成によれば、堰部材の起立部により車両のタイヤの進入を許容する領域（第１エリア）とその進入を許容しない領域（第２エリア）とが区切られ、車両の進入を許容しない側にだけ音発生材が配設されているため、音発生材からの音により、車両のタイヤがその進入を許容しない領域にあることを運転者に知らしめることができる。
【００１１】
本発明において、より好ましくは、前記堰部材が、前記第２エリアにおける前記床部に設置され前記起立部に連結されてなる底板部を有し、前記音発生材が、少なくとも一部が前記底板部上に載置された状態で配設されている形態である。こうすれば、音発生材による底板部への荷重により堰部材が動きにくくなるため、ネジやボルト等の固定具を用いることなく堰部材を床部の所望の位置に配置しておくことができる。これにより、堰部材のレイアウトを変更する際に、底板部上の音発生材を退けるだけで堰部材を駐車スペースの所望の位置に移動させることができる。
【００１２】
本発明において、前記駐車ガイド部材が、前記起立部を、互いに離間する位置に複数備え、前記第２エリアにおいて前記複数の起立部により区切られた各領域に、音発生の態様が各々異なる音発生材が配設されていてもよい。音発生材からの音の種類や大きさ等といった音発生の態様を第２エリア（非許容エリア）の各領域で変えておくことにより、車両のタイヤが第２エリアのどこを踏んだのかを運転者に知らしめることができる。
【００１３】
第２エリアの各領域に音発生の態様が各々異なる音発生材を配設する構成において、前記第２エリアにおいて前記第１エリアから離れる方向に音発生の態様が変更されるよう前記音発生材がそれぞれ配設されているのが好ましい。音発生材からの音の種類や大きさ等といった音発生の態様を第１エリア（許容エリア）からの離間の程度に応じて変えておくことにより、その許容エリアから車両のタイヤがどれだけ離れているかを運転者に知らしめることができる。ここで、音発生の態様を変更する際には、第１エリアから離れるほど運転者に対する報知の度合いを高くする（例えば音を大きくする）のが望ましい。
【００１４】
本発明において、前記堰部材が、前記車両の両サイド、又は前記車両における少なくともいずれかのタイヤの両サイドに設けられ、該両サイドで前記音発生材の音発生の態様が異なっていてもよい。車両又はタイヤの左側と右側とで音発生材からの音の種類や大きさを変えておくことにより、車両が左右のいずれの方向にずれているかを運転者に知らしめることができる。
【００１５】
本発明において、より好ましくは、前記音発生材が、多数の小片を上下方向に積み重ねて構成される小片集合体であり、その小片同士の擦れ合いにより音を発生する形態である。この構成によれば、音発生材がタイヤに踏まれることにより、上下方向に積み重ねられた小片が個々に移動し、その移動に伴い小片同士が擦れ合うことで音発生材から音が発生される。したがって、車両のタイヤの進入を許容しない領域にタイヤが進入したことを比較的簡単な構成により運転者に知らしめることができる。また、小片の積み重ねにより音の発生源が構築されているため、音発生材が配設される場所やその範囲の変更を容易にかつ自在に行うことができる。
【００１６】
ここで、音発生材を構成する小片は、硬質の固体物であるのが好ましく、例えば砂利や金属片、樹脂片などとする。この小片の形状は特に限定せず、例えば粒状や棒状、板状などとする。
【００１７】
本発明において、前記起立部が、前記タイヤの進入を許容する側の表層が柔軟性材料で形成されているのが好ましい。こうすれば、車両のタイヤが起立部に接触した場合にタイヤに傷が付きにくい。また、車両の加重により起立部が破損するのを防止することができる。
【００１８】
ここで、起立部は、外力に対して復元性を有しているのが好ましい。起立部に復元性を持たせるには、例えば起立部の全体を柔軟性材料で構成する。こうすることにより、起立部にタイヤが接触した場合にその起立部の変形に伴い音発生材から音が発せられるため、タイヤの進入を許容しない領域にタイヤが進入し始めた時点でその旨を運転者に知らしめることができる。また、タイヤが起立部に接触しなくなった場合に起立部を元の位置に戻すことができる。
【図面の簡単な説明】
【００１９】
【図１】車庫付き建物の概要を示す平面図。
【図２】図１のＡ−Ａ断面図。
【図３】ガイド部材及び音発生材の状態を示す図。（ａ）はタイヤが第１エリアＳ１にある場合を示し、（ｂ）及び（ｃ）はタイヤが第２エリアＳ２に進入した場合を示す。
【図４】他の実施形態における駐車ガイド部の概略構成を示す図。
【図５】他の実施形態における駐車ガイド部の概略構成を示す斜視図。
【図６】他の実施形態における駐車ガイド部の概略構成を示す図。
【図７】他の実施形態における駐車ガイド部の概略構成を示す図。
【図８】他の実施形態における駐車ガイド部の概略構成を示す平面図。
【発明を実施するための形態】
【００２０】
以下に、本発明を具体化した実施の形態について図面を参照しつつ説明する。
【００２１】
図１は、車庫付き建物を示す図である。図１に示すように、住宅等の建物１０には、リビングや居間といった屋内空間部を形成する居室１１Ａ，１１Ｂと、いわゆるインナガレージとしての車庫１２とが設けられている。車庫１２は平面視矩形状の駐車スペースＰＡを内部に有しており、その駐車スペースＰＡに車両Ｖが駐車可能になっている。駐車スペースＰＡは、少なくとも自動車１台の駐車が可能な幅及び奥行きを有しており、車両出入口１３を除く周囲が車庫壁１４（側壁１４ａ及び奥壁１４ｂ）により囲まれている。
【００２２】
車庫１２の床は、例えばコンクリートや煉瓦などにより舗装されており、その舗装部の表面により車庫床面１５が構成されている。なお、車庫１２の床に、砕石や瓦などによるダスト舗装を施してもよい。
【００２３】
車庫床面１５上には駐車ガイド部材２０が設けられている。駐車ガイド部材２０は、駐車スペースＰＡにおける所望の駐車位置へ車両Ｖを誘導する機能（駐車ガイド機能）を備えており、堰板２１と音発生材２２とにより構成されている。本実施形態において駐車ガイド部材２０は、駐車スペースＰＡに駐車された車両Ｖの両サイドに設けられており、詳細には、車庫壁１４の両側壁１４ａ及び奥壁１４ｂに沿って三方（両側方及び奥方）に配設されている。
【００２４】
次に、駐車ガイド部材２０における堰板２１及び音発生材２２について説明する。
【００２５】
堰板２１は、長尺状であり、駐車スペースＰＡにおいて左右の側壁１４ａ，１４ａからそれぞれ所定長さ（離間距離Ｌ）だけ離れた位置に、車庫１２の奥行き方向に延びるようにして配置されている。また、堰板２１は、更に奥壁１４ｂから所定長さだけ離れた位置に、車庫１２の幅方向に延びるようにして配置されており、その両端が、左右両サイドに配置された堰板２１に連結している。この堰板２１を境界とした駐車スペースＰＡの中央の領域に、車両ＶのタイヤＴＬ，ＴＲの進入を許容する第１エリアＳ１が定められている。また、同駐車スペースＰＡの縁部であって第１エリアＳ１を囲む領域に、車両ＶのタイヤＴＬ，ＴＲの進入を許容しない第２エリアＳ２が定められており、同第２エリアＳ２に音発生材２２が配設されている。
【００２６】
堰板２１及び音発生材２２について更に詳細に説明する。図２は、堰板２１及び音発生材２２の概略構成を示す図１のＡ−Ａ断面図である。
【００２７】
まず、堰板２１について説明する。図２に示すように、堰板２１は、車庫床面１５から起立する起立部２１Ａと、第２エリアＳ２における車庫床面１５に設置され起立部２１Ａに連結されてなる底板部２１Ｂとを備えている。本実施形態において堰板２１は、起立部２１Ａ及び底板部２１Ｂにより断面Ｌ字状に形成されている。
【００２８】
起立部２１Ａは、長尺状の薄肉部であり、その一側面が車庫壁１４に平行に延びるよう設置されている。この起立部２１Ａにより、駐車スペースＰＡにおいて第１エリアＳ１と第２エリアＳ２とが仕切られている。起立部２１Ａの高さは、車両Ｖのボディの下端部よりも低くなっており、車両ＶのうちタイヤＴＬ，ＴＲのみが起立部２１Ａに接触する高さ（例えば５〜１０センチ）にしてある。また、起立部２１Ａは、図２に示すように車庫床面１５に対して垂直に起立した状態であってもよいが、第１エリアＳ１又は第２エリアＳ２のいずれかのエリア側に傾斜していてもよい。
【００２９】
起立部２１Ａは、変形及び復元が可能に構成されている。具体的には、起立部２１Ａは、少なくとも第１エリアＳ１側の表層が、合成樹脂（例えばＥＰＤＭやウレタン）などの柔軟性材料で形成されている。これにより、起立部２１Ａが、外力が付与されることにより変形するとともに、その外力が除去されることにより元の状態に戻るようになっている。
【００３０】
ここで、起立部２１Ａの第１エリアＳ１側の表層を柔軟性材料により構成した場合、起立部２１Ａの内部又は第２エリアＳ２側の表層に、例えば金属板等の支持部材が配置されていてもよい。この場合、支持部材においても変形及び復元可能にし、例えば支持部材を板バネで構成する。なお、第１エリアＳ１及び第２エリアＳ２は、復元した状態における起立部２１Ａを境界にして定めてあり、例えば図２においては、垂直状態の起立部２１Ａの車庫壁１４側を第２エリアＳ２とし、車庫壁１４とは反対側を第１エリアＳ１としている。
【００３１】
底板部２１Ｂは、長尺状の薄肉部であり、その一側面が車庫床面１５上において車庫壁１４に垂直に延びるよう設置されている。この底板部２１Ｂに支持されることにより、起立部２１Ａが車庫床面１５に起立した状態になっている。底板部２１Ｂにおける短尺方向の長さは、起立部２１Ａと車庫壁１４との離間距離Ｌと略同じとしてもよい。あるいは、図２に示すように、底板部２１Ｂにおける短尺方向の長さを離間距離Ｌよりも短くする。また、底板部２１Ｂの材質は特に限定せず、起立部２１Ａと同じ材料で構成してもよいし、異なる材料で構成してもよい。
【００３２】
なお、堰板２１の断面形状はＬ字状に限らず、底板部２１Ｂに音発生材２２を載置可能な形状であればよい。例えば、逆Ｔ字状や三角山状などとしてもよい。また、堰板２１における車両出入口１３側の端部については、その位置に更に起立部２１Ａを設けることで、音発生材２２が車両出入口１３外へ流出するのを堰き止めるようにするとよい。
【００３３】
次に、音発生材２２について説明する。本実施形態において音発生材２２は、第２エリアＳ２に敷き詰められた多数の小片２２Ａの集合体として構成されており、本実施形態においては、第２エリアＳ２に敷き詰められた多数の砂利よりなる。より具体的には、音発生材２２は、多数の砂利が上下方向に積み重ねられた状態で所定の厚み（例えば数センチの厚み）を持たせて第２エリアＳ２に敷き詰められており、起立部２１Ａによって堰き止められた状態になっている。また、音発生材２２は、その一部が底板部２１Ｂの上に載置されている。つまり、音発生材２２が重石として機能することで、車庫床面１５の上で堰板２１が動きにくくなっている。
【００３４】
次に、車庫１２が備える駐車ガイド機能について、図３を用いて説明する。図３は、堰板２１及び音発生材２２の状態を示す図であり、（ａ）はタイヤＴＬ，ＴＲが第１エリアＳ１にある場合を示し、（ｂ）及び（ｃ）はタイヤＴＬ，ＴＲが第２エリアＳ２に進入した場合を示す。
【００３５】
本実施形態の車庫１２は、音発生材２２から発生される音を利用することにより、駐車スペースＰＡにおいて運転者が所望の位置に駐車できるよう車両ＶのタイヤＴＬ，ＴＲの進行方向を誘導する。つまり、タイヤＴＬ，ＴＲの全部がその進入を許容する第１エリアＳ１にある場合には、図３（ａ）に示すように、車両ＶのタイヤＴＲ，ＴＬによって音発生材２２が踏まれていないため、車両Ｖの荷重が音発生材２２に加わらない。そのため、砂利（音発生材２２）を構成する小石（小片２２Ａ）はタイヤＴＬ，ＴＲに踏み潰されず、個々に移動することなくその位置に留まる。したがって、音発生材２２からは音が発生されない。これにより、車両Ｖが所望の駐車位置に向かっていることを運転者が知ることができる。
【００３６】
一方、タイヤＴＬ，ＴＲの少なくとも１つが、堰板２１の起立部２１Ａの上に乗り上げながらその進入を許容しない第２エリアＳ２に進入した場合、図３（ｂ）に示すように、起立部２１Ａが第２エリアＳ２側に進入した状態に変形するとともに、車両ＶのタイヤＴＬ，ＴＲにより音発生材２２（砂利）が踏み潰される。これにより、車両Ｖの荷重が砂利に加わり、その荷重により、砂利を構成する小石が個々に移動する。このとき、小石の移動に伴い小石同士が擦れ合い、その擦れ合う際に小石から音が発生する。この音があたかも警告音のごとく発せられ、これにより車両Ｖが車庫壁１４に寄っており車庫壁１４に衝突するおそれがあることが運転者に報知される。
【００３７】
また、タイヤＴＬ，ＴＲの少なくとも１つが、堰板２１を乗り越えて第２エリアＳ２に進入した場合、図３（ｃ）に示すように、第２エリアＳ２に敷き詰められた音発生材２２（砂利）がタイヤＴＬに踏み潰されることで、車両Ｖの荷重により砂利を構成する小石が個々に移動する。この移動に伴い小石同士の擦れ合いが起こり、その擦れ合いの際に小石から音が発生する。このとき、音発生材２２をタイヤＴＬが直接踏みつけている場合（図３（ｃ）の場合）には、起立部２１Ａの上から踏みつけている場合（図３（ｂ）の場合）に比べ、踏みつけている小石の数が多いため、音発生材２２からより大きな音が発生する。この音により、車両Ｖが車庫壁１４に近接しており、車庫壁１４に衝突するおそれが高い危険な状態であることが運転者に報知される。また、音発生材２２としての砂利の上にタイヤＴＬ，ＴＲが載ることで車両Ｖの乗り心地が変化するため、音発生材２２からの音に加え、乗り心地の変化を利用することにより運転者に対して警告を行う。
【００３８】
次に、駐車ガイド部材２０を車庫１２に備え付ける際の手順について説明する。駐車ガイド部材２０において上述した駐車ガイド機能が発揮されるようにするには、堰板２１及び音発生材２２を、駐車スペースＰＡに駐車される車両Ｖの幅（車両幅）に応じて設置するのが望ましい。具体的には、まず、堰板２１を、駐車スペースＰＡにおいて車庫壁１４から所望の離間距離Ｌだけ離れた位置に、車庫壁１４に平行に延びるように配置する。このとき、車両幅よりもやや広い領域に第１エリアＳ１を形成するとともに、それ以外の領域（車庫壁１４から離間距離Ｌの領域）に第２エリアＳ２を形成し、その第１エリアＳ１と第２エリアＳ２との境界部に堰板２１を配置する。堰板２１の配置の際には、車庫床面１５に対して堰板２１をボルト等で固定せず、車庫床面１５に置いたままの状態にする。
【００３９】
続いて、起立部２１Ａと車庫壁１４との間の領域に音発生材２２としての砂利を敷き詰める。このとき、音発生材２２を底板部２１Ｂの上に載せた状態にする。これにより、堰板２１が車庫床面１５から動きにくくなる。
【００４０】
また、車両Ｖの買い替えや代車の使用などにより車両幅が今までと異なることとなった場合、堰板２１を車庫１２の幅方向又は奥行き方向に移動させることにより、車両幅に応じた適切な位置になるよう堰板２１の配置を変更する。例えば、今までよりも車両幅が広い車両Ｖを駐車スペースＰＡに駐車させる場合、第１エリアＳ１の幅よりも車両幅の方が大きく、所望の駐車位置に止める際にも車両Ｖが堰板２１や音発生材２２に接触してしまうことが考えられる。この場合には、第１エリアＳ１を広くするために、堰板２１を車庫壁１４に近付ける方向に移動させ、その移動後の堰板２１と車庫壁１４との間に音発生材２２を敷き詰める。
【００４１】
また逆に、今までよりも車両幅が狭い車両Ｖを駐車スペースＰＡに駐車させる場合、駐車可能なスペースが広過ぎ、車両Ｖを所望の位置（例えば駐車スペースＰＡの中央部）に止めにくいことが考えられる。また、駐車可能な領域（第１エリアＳ１）と車庫壁１４との距離が大きいほど、車両Ｖが車庫壁１４に接触したり衝突したりするのを回避可能と考えられる。そこで、車両幅がより狭い車両Ｖを駐車する場合には、第１エリアＳ１を狭くして第２エリアＳ２を広くするために、車庫壁１４から離間させる方向に堰板２１を移動させ、その移動後の堰板２１と車庫壁１４との間に音発生材２２を敷き詰める。
【００４２】
以上詳述した本実施形態によれば、以下の優れた効果が得られる。
【００４３】
車庫床面１５上に車庫壁１４に平行に延びるようにして駐車ガイド部材２０が設けられており、同駐車ガイド部材２０において、堰板２１の起立部２１Ａにより区切られた駐車スペースＰＡの各領域のうち、車両Ｖの進入を許容しない第２エリアＳ２に音発生材２２が配設される構成としたため、車両ＶのタイヤＴＬ，ＴＲが第２エリアＳ２に進入した場合に、車両Ｖによる加重に伴い音が発生される。したがって、音発生材２２からの音により、入出庫中の車両Ｖが所望の駐車位置からずれていることを運転者に知らしめることができる。
【００４４】
音発生材２２からの音は、音発生材２２を構成する小片２２Ａが個々に移動することに伴い発せられるため、音の発生源を簡易な構成にすることができる。また、駐車スペースＰＡに堰板２１と音発生材２２とを配設するといった簡単な構成により駐車位置を誘導する機能を発揮させることができる。これにより、駐車スペースＰＡに入出庫される車両Ｖの幅が変更された場合に、その車幅に合わせて堰板２１及び音発生材２２の位置を容易にかつ自在に変更することができる。
【００４５】
第２エリアの車庫床面１５に設置され起立部２１Ａに連結される底板部２１Ｂを堰板２１に設け、その底板部２１Ｂ上に音発生材２２を載置することで堰板２１を車庫床面１５上の所望の位置に配置する構成としたため、音発生材２２による底板部２１Ｂへの荷重により堰板２１を動きにくくすることができる。つまり、ネジやボルト等の固定具を用いることなく堰板２１を車庫床面１５の所望の位置に配置しておくことができる。また、駐車ガイド部材２０のレイアウトを変更する際に、底板部２１Ｂ上の音発生材２２を退けるだけで堰板２１を車庫床面１５の所望の位置に移動させることができる。
【００４６】
起立部２１Ａの第１エリアＳ１側の表層を柔軟性材料で構成したため、車両ＶのタイヤＴＬ，ＴＲが起立部２１Ａに接触した場合に車両Ｖの衝撃が和らげられるとともに、タイヤＴＬ，ＴＲに傷が付きにくい。また、車両ＶのタイヤＴＬ，ＴＲが起立部２１Ａに乗り上げた場合に、車両Ｖの加重によって起立部２１Ａが破損してしまうのを防止することができる。
【００４７】
起立部２１Ａが外力に対する復元性を有する構成としたため、起立部２１ＡにタイヤＴＬ，ＴＲが乗り上げた場合に、その起立部２１Ａの変形に伴い音発生材２２の小片２２Ａが個々に移動し、その移動に伴い音発生材２２から音が発生される。したがって、タイヤＴＬ，ＴＲが起立部２１Ａに乗り上げた時点、つまり車両ＶのタイヤＴＬ，ＴＲが第２エリアＳ２に進入し始めた時点で、その旨を運転者に報知することができる。また、タイヤＴＬ，ＴＲが起立部２１Ａに接触しなくなった場合に、その復元性により起立部２１Ａを元の位置に戻すことができる。
【００４８】
音発生材２２を多数の砂利とし、第２エリアＳ２において砂利を上下方向に積み重ねて敷き詰める構成としたため、砂利がタイヤＴＬ，ＴＲに踏みつけられた場合に、砂利を構成する小石が個々に移動して互いに擦れ合い、その擦れ合いにより音を発生させることができる。また、砂利を積み重ねることで音の発生源が構築されるため、音の発生源を安価にかつ簡易に設けることができるし、砂利が敷設される位置やその範囲の変更を容易にかつ自在に行うことができる。さらに、車両ＶのタイヤＴＬ，ＴＲが第２エリアＳ２に進入した場合に、砂利に乗り上げることにより運転者の乗り心地が変化するため、第２エリアＳ２に進入したことを運転者に知らしめるのに好適である。
【００４９】
また、砂利同士の擦れ合いにより発せられる音を警告音として利用しているため、音発生材２２の高さをさほど必要としない。したがって、駐車スペースＰＡにおいて駐車ガイド部材２０が車両の乗り降りや歩行等の妨げになるのを抑制することができる。また、目立ちにくくなり外観上も好ましい。
【００５０】
車両ＶのタイヤＴＬ，ＴＲが起立部２１Ａに乗り上げて音が発生された場合と、タイヤＴＬ，ＴＲが砂利の上に直接乗って音が発生された場合とでは、タイヤＴＬ，ＴＲが踏みつけている小石の数が異なるため、前者と後者とで音の大きさを変えることができる。したがって、車両ＶのタイヤＴＬ，ＴＲが第２エリアＳ２のどこに進入しているかを運転者に知らしめることができる。
【００５１】
車庫１２の床を舗装することにより車庫床面１５が形成されているため、車両ＶのタイヤＴＬ，ＴＲが第２エリアＳ２に進入して音発生材２２から音が発生された場合に、その音を運転者が覚知しやすい。
【００５２】
車庫１２内に停車してある車両Ｖに不審者が近付いた場合に、不審者が音発生材２２を踏みつけることにより音が発生されるため、その音により不審者を車庫１２内から排除することができ、防犯上好適である。
【００５３】
（他の実施形態）
本発明は上記実施形態の記載内容に限定されず、例えば次のように実施されてもよい。
【００５４】
・堰板２１の底板部２１Ｂに起立部２１Ａを複数設け、同起立部２１Ａを互いに離間して配置するとともに、第２エリアＳ２において複数の起立部２１Ａにより区切られた各領域に、音発生の態様が各々異なる音発生材２２を配設する構成とする。第２エリアＳ２の区画ごとに音の種類や大きさを変えておくことで、車両ＶのタイヤＴＬ，ＴＲが第２エリアＳ２のどこに進入しているかを運転者に知らしめることができる。また、音発生材２２を小片２２Ａの集合体として構成しているため、小片２２Ａの材質や大きさを変えることにより、領域間での音の違いを容易に作り出すことができる。
【００５５】
具体的には、例えば複数の起立部２１Ａを、車両出入口１３に面するように所定間隔をあけて配置し、その複数の起立部２１Ａにより車庫１２の奥行き方向に第２エリアＳ２を複数の領域に区画する。その区画された第２エリアＳ２の各領域に、音発生の態様が各々異なる音発生材２２を配設する。
【００５６】
あるいは、図４に示すように、底板部２１Ｂに設けた複数（図４では２つ）の起立部２１Ａ，２１Ａを、それぞれ車庫壁１４に平行に延びるように所定間隔をあけて配置し、その複数の起立部２１Ａ，２１Ａにより、第２エリアＳ２を、第１エリアＳ１から離れる方向に複数の領域Ｓ２Ａ，Ｓ２Ｂに区画する。その区画された第２エリアＳ２の各領域Ｓ２Ａ，Ｓ２Ｂに、音発生の態様が各々異なる音発生材２２を配設する。このとき、例えば２つの領域Ｓ２Ａ，Ｓ２Ｂにおいて、第１エリアＳ１側の領域Ｓ２Ａに、発生音が比較的小さい音発生材２２を配設し、車庫壁１４側の領域Ｓ２Ｂに、発生音が比較的大きい音発生材２２を配設する。このように、第１エリアＳ１から離れるほど発生音が大きい音発生材２２を配設することで、その音の大きさにより運転者に対し危険度を知らせることができる。
【００５７】
なお、音発生材２２の音の大小を異なるものにするには、第２エリアＳ２の各領域Ｓ２Ａ，Ｓ２Ｂに配設される音発生材２２の小片２２Ａの粒径や硬度などを各領域で異なるものにする。また、第２エリアＳ２の各領域Ｓ２Ａ，Ｓ２Ｂで音発生の態様を各々異なるものとするには、音の大小以外に、音の高低や音質の違いなどによって行う構成としてもよい。音の高低や音質を異なるものにするには、例えば第２エリアＳ２の各領域Ｓ２Ａ，Ｓ２Ｂに配設される音発生材２２の材質を各領域で異なるものにする。具体的には、第２エリアＳ２の各領域Ｓ２Ａ，Ｓ２Ｂのうち一方に砂利を配設し、他方に金属物を配設する。
【００５８】
また、複数の起立部２１Ａ，２１Ａにより第２エリアＳ２が３つ以上の領域に区切られている場合、第１エリアＳ１から離れる方向に音発生の態様が変更されるよう音発生材２２がそれぞれ配設されているのが望ましい。このとき、第１エリアＳ１から離れるほど、運転者に対して危険な状態にあることを報知可能であるとよい。
【００５９】
・第２エリアＳ２において、車両Ｖの両サイドで音発生の態様が各々異なる音発生材２２を配設する構成にする。車両Ｖの左側と右側とで音の種類や大きさを変えておくことにより、車両Ｖが左右のいずれの方向にずれているかを運転者に知らしめることができる。このとき、車両Ｖの左右両サイドに加え、駐車スペースＰＡの奥方において、音発生の態様が左右両サイドと異なる音発生材２２が配設されてもよい。こうすることで、車庫１２の奥行き方向における車両Ｖの進入位置を運転者に知らしめることができる。
【００６０】
・音発生材２２を構成する小片２２Ａは、小片２２Ａ同士の擦れ合いにより音を発生するものであれば小石に限定しない。擦れ合いにより音を発生するには、適度な硬性を有しており、外力が付与されることで移動可能な重量であることが望ましい。具体的には、音発生材２２を砂利に代えて、樹脂や金属などの小片の集合体として構成する。また、その形状を粒状に代えて、棒状や平面状などにする。
【００６１】
例えば図５に示すように、多角形（例えば五角形や六角形）の金属棒２２ａを小片２２Ａとし、この金属棒２２ａを第２エリアＳ２に上下に重なるように積んでおく。なお、金属棒２２ａの長手方向の向きは、車両Ｖの進行方向に対して同じ方向である以外に、同進行方向に直交する方向であってもよい。この構成によれば、車両Ｖが第２エリアＳ２に進入した場合に、金属棒２２ａの集合体としての音発生材２２を車両ＶのタイヤＴＬ，ＴＲが踏みつけることにより、金属棒２２ａが個々に移動して金属棒２２ａ同士が擦れ合い、その擦れ合いにより音が発生されるため、上記と同様の効果を得ることができる。特に、音発生材２２を金属製とした場合、重量物である車両Ｖにより粉砕されるのを抑制することができ好適である。つまり、砂利の上に車両Ｖが載った場合、車両Ｖの重みにより砂利が粉砕され音発生材２２による音発生能が低下したり、粉砕による塵埃等が生じたりすることが懸念されるところ、音発生材２２を金属製とすることにより、車両Ｖによる粉砕が抑制されるため、音発生材２２による音発生能を維持することができるとともに、粉塵等が生じるのを抑制することができる。
【００６２】
・駐車ガイド部材２０を車両Ｖの両サイドに設ける構成としたが、これを変更し、車両Ｖの少なくともいずれかのタイヤＴの両サイドにそれぞれ駐車ガイド部材２０Ａ，２０Ｂを設ける構成とする。つまり、車両Ｖの左タイヤＴＬ又は右タイヤＴＲの両サイドに駐車ガイド部材２０Ａ，２０Ｂを配置する。あるいは、車両Ｖの左タイヤＴＬ及び右タイヤＴＲの両サイドに駐車ガイド部材２０Ａ，２０Ｂを配置する。このとき、車両Ｖの前方又は後方のタイヤにだけ配置してもよいし、前方及び後方のタイヤに配置してもよい。
【００６３】
具体的には図６に示すように、駐車ガイド部の一方２０Ａを、上記実施形態と同様に車庫壁１４に隣接して配置するとともに、他方２０Ｂを、車両Ｖの下方において、車庫壁１４側の駐車ガイド部材２０ＡとともにタイヤＴを挟む位置に配置する。車両下方の駐車ガイド部材２０Ｂについては、車庫壁１４側の駐車ガイド部材２０Ａと同様の構成としてもよいが、図６に示すように、底板部２１Ｂの両端に起立部２１Ａ，２１Ａを設け、その起立部２１Ａ，２１Ａ間に音発生材２２を配設してもよい。こうすることで、音発生材２２が駐車スペースＰＡに分散されるのを抑制することができる。
【００６４】
・タイヤＴの両サイドに駐車ガイド部材２０を設ける場合に、タイヤＴの両サイドで音発生の態様が各々異なる音発生材２２を配設する構成にする。タイヤＴの左側と右側とで音の種類や大きさを変えておくことにより、車両Ｖが左右のいずれの方向にずれているかを運転者に知らしめることができる。
【００６５】
・車両下方に駐車ガイド部材２０Ｂを設ける場合、左右のタイヤＴＬ，ＴＲの両サイドにそれぞれ駐車ガイド部材２０Ａ，２０Ｂを設ける構成としてもよい。この場合、図７に示すように、駐車ガイド部材２０Ｂについては、左右のタイヤＴＬ，ＴＲで一体に設ける構成としてもよい。具体的には、図７に示すように、底板部２１Ｂの両端に起立部２１Ａを設け、その起立部２１Ａ，２１Ａ間に音発生材２２を配設する。このとき、一方の起立部２１Ａが左タイヤＴＬの内側サイドに設けられ、他方の起立部２１Ａが右タイヤＴＲの内側サイドに設けられるようにする。
【００６６】
・堰板２１において底板部２１Ｂの両端に起立部２１Ａを設ける場合、底板部２１Ｂの４辺に起立部２１Ａを形成することで中空の箱型にし、その起立部２１Ａで取り囲まれた空間に音発生材２２を収容する構成としてもよい。この構成によれば、音発生材２２が駐車スペースＰＡに散乱するのを抑制することができ好適である。堰板２１を箱型に構成した場合、駐車ガイド部材２０の設置箇所はいずれであってもよく、図６に示すように車両下方に配置してもよいし、車庫壁１４に隣接して配置してもよい。
【００６７】
・駐車ガイド部材２０を、起立部２１Ａにより四方が囲まれる形態とした場合、底板部２１Ｂを設けない構成とする。また、起立部２１Ａにより三方を囲む形態や、隣接する二方に起立部２１Ａを設ける場合について、底板部２１Ｂを設けない構成とする。
【００６８】
・駐車ガイド部材２０を、車庫壁１４の両側壁１４ａ及び奥壁１４ｂに平行にのびるようにして駐車スペースＰＡの三方に配設する構成としたが、これを変更し、両側方及び奥方のいずれかに配設する構成とする。また、駐車ガイド部材２０を、駐車スペースＰＡにおいて奥行き方向又は幅方向の全体に亘って配設する構成としたが、これを変更し、奥行き方向又は幅方向の一部に配設する構成とする。例えば図８に示すように、駐車ガイド部材２０を、車両出入口１３付近の両サイドにのみ配置する。この構成によれば、車両Ｖの先頭部（入出庫時に先頭となる車両前部又は車両後部）が車庫１２内に進入するまで車両Ｖの進行方向を誘導することができ、これにより車両Ｖが駐車スペースＰＡの所望の位置に駐車されるようにすることができる。また、駐車ガイド部材２０を車両出入口１３付近の両サイドにのみ配置することで、駐車スペースＰＡの三方に駐車ガイド部材２０を設ける構成や、駐車スペースＰＡにおいて奥行き方向又は幅方向の全体に亘って駐車スペースＰＡを設ける構成に比べて、車両幅に応じて駐車ガイド部材２０の幅を変更する際にその変更を容易に行うことができる。
【００６９】
・駐車ガイド部材２０に浸入した水を排水するための排水機構を設ける構成とする。駐車ガイド部材２０において第２エリアＳ２は、車庫壁１４と起立部２１Ａとに囲まれているため、この第２エリアＳ２に水が溜まりやすいからである。排水機構として例えば、車両出入口１３付近に排水口を設け、駐車ガイド部材２０内の水が排水口に移動されるよう、車庫１２の奥方から前方に向かって車庫床面１５を傾斜させる。これにより、第２エリアＳ２に水が溜まらないようにすることができる。
【００７０】
・駐車ガイド部材２０において、第２エリアＳ２に配設された音発生材２２を被覆する蓋部材を設ける。こうすることで、音発生材２２上に塵埃等が堆積するのを抑制することができる。この場合の蓋部材は、車両Ｖの重みで変形するとともに車両Ｖの重みが取り除かれた際に復元するようにする。具体的には、例えば蓋部材を、ＥＰＤＭやウレタンなどの柔軟性材料で形成する。
【００７１】
・インナガレージである車庫１２に駐車ガイド部材２０を配置することについて説明したが、駐車ガイド部材２０を配置する対象を、建物１０とは別に構築された車庫としてもよい。あるいは、野天の駐車場やカーポートを備える駐車場、未舗装の駐車場、パーキングなど、車両を駐車するための駐車スペースを有する各種設備に駐車ガイド部材２０を適用することができる。
【符号の説明】
【００７２】
１０…建物、１２…車庫、１５…車庫床面（床部）、２０…駐車ガイド部材、２１…堰板（堰部材）、２１Ａ…起立部、２１Ｂ…床板部、２２…音発生材、２２Ａ…小片、２２ａ…金属棒（小片）、Ｓ１…第１エリア、Ｓ２…第２エリア、ＰＡ…駐車スペース、Ｔ，ＴＬ，ＴＲ…タイヤ。
【図１】
2010168742.tif 000003
【図２】
2010168742.tif 000004
【図３】
2010168742.tif 000005
【図４】
2010168742.tif 000006
【図５】
2010168742.tif 000007
【図６】
2010168742.tif 000008
【図７】
2010168742.tif 000009
【図８】
2010168742.tif 000010